(57)【要約】【課題】１個のカップのみで、擦り下ろした大根や生姜を飲料とともに飲むことを可能にするカップを提供する。【解決手段】カップ１００の底面１０３には、全域にわたって、食材を擦り下ろすための先端が尖っている複数の凸状体１０５が形成されている【選択図】図１
0003133707.tif 000002
【実用新案登録請求の範囲】
【請求項１】
食材を擦り下ろすための先端が尖っている複数の凸状体が底面の全体に形成されているカップ。
【請求項２】
食材を擦り下ろすための先端が尖っている複数の凸状体が側壁の内面側の少なくとも一部に形成されているカップ。
【請求項３】
食材を擦り下ろすための先端が尖っている複数の凸状体が底面の全体と側壁の内面側の少なくとも一部とに形成されているカップ。
【考案の詳細な説明】
【技術分野】
【０００１】
本考案はカップ、特に、食材を擦り下ろす機能を有するカップに関する。
【背景技術】
【０００２】
大根や生姜などの食材を擦り下ろした後、それを水、湯その他の飲料に混ぜて飲むことがある（例えば、生姜を擦り下ろした後に湯とともに飲むと、風邪に効くと言われている）。
【０００３】
この場合、まず、大根や生姜を擦り下ろし器で擦り下ろした後、擦り下ろした大根や生姜を別の皿または椀に移し替え、それをコップの中の水や湯に混ぜて飲んだり、あるいは、皿の上の大根や生姜をコップの中の水や湯とともに飲むことになる。
【考案の開示】
【考案が解決しようとする課題】
【０００４】
このように、従来は、擦り下ろした大根や生姜を飲料とともに飲む場合、擦り下ろし器と皿とコップの３種類の食器を必要とした。
【０００５】
本考案は以上のような問題点に鑑みてなされたものであり、複数の食器を用意することなく、１個のカップのみで、擦り下ろした大根や生姜を飲料とともに飲むことを可能にするカップを提供することを目的とする。
【課題を解決するための手段】
【０００６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００７】
上記の目的を達成するため、本考案は、食材を擦り下ろすための先端が尖っている複数の凸状体（１０５）が底面（１０３）の全体に形成されているカップ（１００）を提供する。
【０００８】
さらに、本考案は、食材を擦り下ろすための先端が尖っている複数の凸状体（１０６）が側壁（１０２）の内面側の少なくとも一部に形成されているカップ（２００）を提供する。
【０００９】
食材を擦り下ろすための先端が尖っている複数の凸状体（１０５、１０６）が底面（１０３）の全体と側壁（１０２）の内面側の少なくとも一部とに形成されているカップ（２００）を提供する。
【考案の効果】
【００１０】
本考案に係るカップによれば、底面または側壁の内面に凸状体を形成することにより、食材の擦り下ろし器を使用することなく、さらに、擦り下ろした食材を移す別の皿や椀を使用することなく、カップのみを用いることにより、擦り下ろした食材を水、湯その他の飲料とともに、飲むことが可能である。
【００１１】
さらに、底面及び側壁の内面の双方に凸状体を形成することにより、底面に形成された凸状体のみならず、側壁に形成された凸状体をも食材の擦り下ろしに使用することができるため、ユーザにとって使いやすい方の凸状体を使うことができるため、食材の擦り下ろしの効率を上げることができる。
【考案を実施するための最良の形態】
【００１２】
（第一の実施形態）
図１は本考案の第一の実施形態に係るカップ１００の縦断面図である。
【００１３】
本実施形態に係るカップ１００は、開口部１０１を形成している側壁１０２と、開口部１０１の反対側において側壁１０２に囲まれて形成されている底面１０３と、側壁１０２の外周面に形成された把手１０４と、を備えている。
【００１４】
側壁１０２は上方からみるとほぼリング状をなしている。
【００１５】
本実施形態に係るカップ１００は陶器から作られている。
【００１６】
底面１０３の内面側には、凸状体１０５が底面１０３の全体にわたって形成されている。凸状体１０５は先端が尖っている形状をなしており、大根、生姜その他の食材を擦り下ろす機能を有している。
【００１７】
本実施形態に係るカップ１００は以下のようにして使用される。
【００１８】
先ず、人参、大根または生姜などの食材を、底面１０３上に形成された凸状体１０５を用いて、擦り下ろす。擦り下ろした食材はそのままカップ１００の中に残しておく。
【００１９】
次いで、水、湯その他の飲料をカップ１００の中に注ぐ。
【００２０】
擦り下ろした食材と飲料とを十分に混ぜた後、ユーザは把手１０４を持って、カップ１００の中の食材及び飲料を飲むことができる。
【００２１】
以上のように、本実施形態に係るカップ１００によれば、食材の擦り下ろし器を使用することなく、さらに、擦り下ろした食材を移す別の皿や椀を使用することなく、カップ１００のみを用いることにより、擦り下ろした食材を水、湯その他の飲料とともに、飲むことが可能である。
【００２２】
本実施形態に係るカップ１００は上述の構造に限定されるものではなく、種々の改変が可能である。
【００２３】
例えば、側壁１０２の横断面はリング形状に限定されるものではなく、矩形、三角形、楕円形その他の形状をとることができる。すなわち、側壁１０２の横断面としては、閉じた形状である限り、任意の形状を選択することができる。
【００２４】
また、本実施形態に係るカップ１００は陶器のみならず、金属（アルミニウム、アルミニウム合金、鉄、鉄合金など）や樹脂からつくることも可能である。
【００２５】
（第二の実施形態）
図２（Ａ）は本考案の第二の実施形態に係るカップ２００を上方から見たときの平面図、図２（Ｂ）は図２（Ａ）の２Ｂ−２Ｂ線における断面図である。
【００２６】
本実施形態に係るカップ２００は、第一の実施形態に係るカップ１００と比較して、側壁１０２の内面にも凸状体１０６が形成されている点においてのみ異なり、それ以外の点については、第一の実施形態に係るカップ１００と同一の構造を有している。
【００２７】
図２（Ｂ）に示すように、凸状体１０６は、側壁１０２の内面の深さ方向の全域にではなく、一定の深さの領域にのみ形成されている。
【００２８】
さらに、図２（Ａ）に示すように、凸状体１０６は、側壁１０２の内面の円周方向の全域にではなく、相互に直交する二つの直径が側壁１０２と交差する点を中心として円周方向に広がる計４つの領域においてのみ形成されている。
【００２９】
本実施形態に係るカップ２００によれば、底面１０３に形成された凸状体１０５のみならず、側壁１０２に形成された凸状体１０６をも食材の擦り下ろしに使用することができるため、凸状体１０５及び凸状体１０６の何れかユーザにとって使いやすい方を使うことができるため、食材の擦り下ろしの効率を上げることができる。
【００３０】
本実施形態に係るカップ２００は上述の構造に限定されるものではなく、種々の改変が可能である。
【００３１】
例えば、凸状体１０６は一定の深さの領域にのみ形成することは必ずしも必要ではなく、例えば、側壁１０２の深さ方向の全領域にわたって形成することも可能である。
【００３２】
さらには、側壁１０２の内面の円周方向の一部にのみ形成することは必ずしも必要ではなく、例えば、側壁１０２の円周方向の全領域にわたって形成することも可能である。
【００３３】
なお、本実施形態に係るカップ２００においては、凸状体１０６の他に、底面１０３上に凸状体１０５が形成されているが、凸状体１０５を形成することは必ずしも必要ではなく、側壁１０２の内面側に凸状体１０６のみを形成するようにすることも可能である。
【００３４】
（第三の実施形態）
図３は本考案の第三の実施形態に係るカップ３００の縦断面図である。
【００３５】
図３に示すように、本実施形態に係るカップ３００は、第一の実施形態に係るカップ１００と比較して、側壁３０２が傾斜して形成されている。本実施形態に係るカップ３００は、側壁３０２が傾斜して形成されている点を除いて、第一の実施形態に係るカップ１００と同一の構造を有している。
【００３６】
本実施形態に係るカップ３００の側壁３０２は、底面１０３に対する垂線１０７からの角度αが３０度以上６０度以下である傾斜角を有している。
【００３７】
このように、本実施形態に係るカップ３００の側壁３０２は傾斜角を有しているため、側壁３０２の内面に形成された凸状体１０６を用いて食材を擦り下ろすときに、直立した側壁１０２（第一及び第二の実施形態における側壁）を用いる場合と比較して、食材を容易に擦り下ろすことができる。
【００３８】
３０度以上６０度以下の傾斜角αは、本考案者が行った実験の結果、食材の擦り下ろしが容易になる角度として判明した角度である。
【図面の簡単な説明】
【００３９】
【図１】本考案の第一の実施形態に係るカップの縦断面図である。
【図２】図２（Ａ）は本考案の第二の実施形態に係るカップを上方から見たときの平面図、図２（Ｂ）は図２（Ａ）の２Ｂ−２Ｂ線における断面図である。
【図３】本考案の第三の実施形態に係るカップの縦断面図である。
【符号の説明】
【００４０】
１００  本考案の第一の実施形態に係るカップ
１０１  開口部
１０２  側壁
１０３  底面
１０４  把手
１０５  凸状体
１０６  凸状体
１０７  垂線
２００  本考案の第二の実施形態に係るカップ
３００  本考案の第三の実施形態に係るカップ
３０２  側壁
【図１】
0003133707.tif 000003
【図２】
0003133707.tif 000004
【図３】
0003133707.tif 000005